(57)【要約】【課題】  吸水パッドをポケット部に出し入れする際の操作性を向上し、装着時における装着者のストレスを緩和することのできる失禁用パンツを提供する。【解決手段】  前身頃２と、後身頃３と、一端部が前身頃２に連なり、かつ他端部が後身頃３に連なって延びる股部４であって、通液性を有する通液シート７と、通液シート７を外側から覆い、両側部が前身頃２から後身頃３にわたって、通液シート７に固定され、前身頃２側の一端部の端縁１７が、股部４が延びる方向に垂直な基準一直線ｍ２に対して、予め定める角度範囲で傾斜して形成される外カバーシート８とを有し、通液シート７と外カバーシート８との間に吸液パッド３０を収容可能な股部４と、を含むことを特徴とする失禁用パンツ。【選択図】      図１
2012090902.tif 000002
【特許請求の範囲】
【請求項１】
前身頃と、
後身頃と、
一端部が前身頃に連なり、かつ他端部が後身頃に連なって延びる股部であって、
通液性を有する通液シートと、
通液シートを外側から覆い、両側部が前身頃から後身頃にわたって、通液シートに固定され、前身頃側の一端部の端縁が、股部が延びる方向に垂直な基準一直線に対して、予め定める角度範囲で傾斜して形成される外カバーシートとを有し、
通液シートと外カバーシートとの間に吸液パッドを収容可能な股部と、を含むことを特徴とする失禁用パンツ。
【請求項２】
前記前身頃および後身頃の少なくとも一方には、芳香剤を収容するための収容部が設けられることを特徴とする請求項１記載の失禁用パンツ。
【請求項３】
前記収容部に収容される芳香剤をさらに含み、当該芳香剤は、植物系香料を主成分として含有することを特徴とする請求項２記載の失禁用パンツ。
【発明の詳細な説明】
【技術分野】
【０００１】
本発明は、失禁用パンツに関する。
【背景技術】
【０００２】
失禁症状は、出産や成人病、高齢化、事故などの後遺症によって発症する。従来、失禁症状を発症した場合には、排尿を吸収するための吸収層が形成された大人用おむつを装着することがその対策として採られていた。
【０００３】
しかしながら、大人用おむつは、通常のパンツと比較して厚みがあるため、大人用おむつを装着し、その上に衣服を着用した場合には、他人に大人用おむつを装着していることが認識されているのではないかという不安感によるストレスが生じてしまうという問題点がある。また、大人用おむつの通常のパンツとは異なるごわごわとした装着感によって、装着者に違和感や不快感を生じさせ、装着者に精神的および肉体的苦痛を生じさせ、特に軽失禁者にとって大人用おむつの使用は、ストレスの要因となり、日常生活に悪影響を与えるという問題がある。
【０００４】
そこで、これらの問題点を解決するための従来技術として、特許文献１や特許文献２に記載のような、股部に使い捨ての吸水パッドを出し入れ可能なポケット部を前記大人用おむつに比べて格段に薄い生地から成るパンツに設けた失禁対策用パンツが提案されている。
【０００５】
特許文献１および２に記載の失禁対策用パンツでは、前記大人用おむつに比べて格段に薄い生地から成るパンツに、使い捨ての吸液パッドである吸水パッドを出し入れ可能なポケット部が設けられているので、失禁による排尿を吸水パッドで吸収するとともに、通常のパンツと同様の履き心地を実現している。
【０００６】
しかしながら、特許文献１および２に記載の失禁対策用パンツでは、正中矢状面とも呼ばれる縦方向の身体中心面にほぼ垂直に開口を有するポケット部が股部に形成されているため、股部に向かって手を挿入し、吸水パッドを交換する際における、吸水パッドの操作性、特に衣服とパンツを着用した状態で、衣服とパンツの間から吸水パッドを交換する場合の操作性が悪いという問題がある。
【０００７】
また、特許文献１に記載の失禁対策用パンツでは、木炭の粉を練り込んだ繊維からなる生地を使用することによって、排尿にともなう防臭について配慮がなされているが、特許文献１および２のいずれの従来技術においても防臭効果を充分に期待することができず、能動的な正の感情、すなわちリフレッシュ感、および受動的な正の感情、すなわちリラックス感を与えることはできず、装着者にストレスを与えない装着感が良好な失禁用パンツが望まれていた。
【先行技術文献】
【特許文献】
【０００８】
【特許文献１】特開２０１０−２９４８５号公報
【特許文献２】特開２００６−３２８６０１号公報
【発明の概要】
【発明が解決しようとする課題】
【０００９】
本発明の目的は、吸水パッドをポケット部に出し入れする際の操作性を向上し、装着時における装着者のストレスを緩和することのできる失禁用パンツを提供することである。
【課題を解決するための手段】
【００１０】
本発明は、前身頃と、
後身頃と、
一端部が前身頃に連なり、かつ他端部が後身頃に連なって延びる股部であって、
通液性を有する通液シートと、
通液シートを外側から覆い、両側部が前身頃から後身頃にわたって、通液シートに固定され、前身頃側の一端部の端縁が、股部が延びる方向に垂直な基準一直線に対して、予め定める角度範囲で傾斜して形成される外カバーシートとを有し、
通液シートと外カバーシートとの間に吸液パッドを収容可能な股部と、を含むことを特徴とする失禁用パンツである。
【００１１】
また本発明は、前記前身頃および後身頃の少なくとも一方には、芳香剤を収容するための収容部が設けられることを特徴とする。
【００１２】
また本発明は、前記収容部に収容される芳香剤をさらに含み、当該芳香剤は、植物系香料を主成分として含有することを特徴とする。
【発明の効果】
【００１３】
本発明によれば、通液シートと通液シートを外側から覆う外カバーシートとの間に吸液性を有する吸液パッドを収容可能であって、当該外カバーシートは、外カバーシートの前身頃側の一端部の端縁が、股部が延びる方向に垂直な基準一直線に対して、予め定める角度範囲で傾斜して形成されている。
【００１４】
したがって、吸液パッドを通液シートと外カバーシートとの間に出し入れする場合に、無理のない自然な腕の動きによって手を失禁用パンツと着衣との間に挿入して、外カバーシートの前身頃側の一端部の端縁付近に配置される吸液パッドの一部を把持して容易に取り出すことができる。
【００１５】
また、前記外カバーシートの前身頃側の一端部の端縁が予め定める角度範囲で傾斜して形成されるので、新たな吸液シートを通液シートと外カバーシートとの間に挿入するに際して、外カバーシートの前身頃側の一端部の端縁を手指で把持し、その背後の通液シートから離反する方向に引っ張ることによって、広い開口縁で開口させることができ、容易かつ円滑に吸液パッドを通液シートおよび外カバーシート間に挿入して装着することができる。
【００１６】
また、本発明によれば、前身頃および後身頃の少なくとも一方には、芳香剤を収容するための収容部が設けられているので、芳香剤から放散される芳香によって、排尿にともなう悪臭を緩和し、または消臭して、装着者である自己および周囲の人へ不快感を与えることを防止することができる。また、たとえば装着者の嗜好の芳香を放散させることによって、装着者の失禁用パンツの装着による不快感およびストレスを緩和させることができる。
【００１７】
また、本発明によれば、収容部に収容される芳香剤がさらに含まれ、当該芳香剤は、植物系香料を主成分としているので、装着者の気分をリラックスさせることができ、装着時におけるストレスをより一層効果的に緩和させることができる。
【図面の簡単な説明】
【００１８】
【図１】本発明の一実施形態である失禁用パンツ１の正面図である。
【図２】図１の失禁用パンツ１を背後から見た背面図である。
【図３】図１の失禁用パンツ１の一部を切欠いた正面図である。
【図４】図１の失禁用パンツ１の外カバーシート８を外した状態を示す正面図である。
【図５】身体Ｍを模式的に示した図である。
【図６】失禁用パンツ１の装着者が、股部４に収容された吸液パッド３０を出し入れする場合の腕の配置を説明するための図である。
【図７】人間が着座した状態を示す図である。
【図８】失禁用パンツ１の着圧を説明するための図である。
【発明を実施するための形態】
【００１９】
図１は、本発明の一実施形態である失禁用パンツ１の正面図であり、図２は図１の失禁用パンツ１を背後から見た背面図であり、図３は図１の失禁用パンツ１の一部を切欠いた正面図であり、図４は図１の失禁用パンツ１の外カバーシート８を外した状態を示す正面図である。図１〜図４において、失禁用パンツ１は、前身頃２と後身頃３とを重ねて偏平に展開した状態を示す。
【００２０】
本実施形態では、女性用である失禁用パンツ１について記載するが、同様の構成で男性用失禁用パンツとして用いることも可能である。
【００２１】
失禁用パンツ１は、前身頃２と、後身頃３と、一端部が前身頃２に連なり、かつ他端部が後身頃３に連なる股部４とを含む。このような失禁用パンツ１は、丸編によって、前身頃２および後身頃３を一体編成された筒編地によって構成される。
【００２２】
前身頃２は、失禁用パンツ１が身体に装着された状態において、装着者の腹部を覆う部分である。前身頃２および股部４には、装着時に装着者の脚が挿通される一対の脚穴部５が設けられ、前身頃２の環状の腰部２ａと一方の脚穴部５との間の領域には、芳香剤や消臭剤などが収容可能な収容部６とが設けられる。各脚穴部５は、略円形状の一対の脚穴を形成し、股部４の幅方向両側に設けられる。収容部６については後で詳述する。
【００２３】
後身頃３は、失禁用パンツ１が身体に装着された状態において、装着者の臀部を覆う部分である。本実施形態において、後身頃３は丸編によって前述の前身頃２と一体に編成され、前身頃２と後身頃３とは、縫い合わされることなく環状に連なって形成される。
【００２４】
前身頃２および後身頃３の編地の材料は特に限定されることはないが、たとえばナイロン繊維を５０〜９５ｗｔ％、ポリウレタン繊維を５〜５０ｗｔ％の割合で混紡され、太さを１６０〜１０デシテックスの混紡原糸によって、伸縮性および通気性を有する編地が用いられる。
【００２５】
股部４は、一端部が前身頃２に連なり、かつ他端部が後身頃３に連なって延び、失禁用パンツ１が身体に装着された状態において、装着者の股間を覆う部分である。股部４は、通液性を有する通液シート７と、通液シート７を外側から覆う外カバーシート８とを有し、通液シート７と外カバーシート８との間に吸液性を有する吸液パッド３０を収容可能に形成される。
【００２６】
通液シート７は、略矩形状のシート体であって、長手方向一端部９が前身頃２に縫着され、長手方向他端部１０が後身頃３に縫着して固定され、幅方向両側部１１，１２は前身頃２および後身頃３には固定されず、後述する外カバーシート８と縫着して固定される。通液シート７は、通液性および伸縮性を有していればよく、たとえばポリエステルやナイロンからなるメッシュ生地から形成される。通液シート７の寸法は、失禁用パンツ１の大きさによって適宜変更可能であるが、本実施形態では長手方向の寸法が１６．５ｃｍ、幅方向の寸法が７．５ｃｍ、厚み方向の寸法が０．２〜０．５ｃｍである。
【００２７】
外カバーシート８は、略矩形状のシート体であって、通液シート７を外側から覆うように形成される。ここで、外側とは、失禁用パンツ１が身体に装着された状態において、装着者と接触しない側であり、内側とは、失禁用パンツ１が身体に装着された状態において、装着者と接触する側である。
【００２８】
外カバーシート８は、幅方向両側部１３，１４が前身頃２から後身頃３にわたって、通液シート７に縫着して固定され、長手方向一端部１５は、前身頃２側に配置され、縫着して固定されることなく遊端部として形成され、長手方向他端部１６が後身頃３に縫着して固定される。
【００２９】
このように、外カバーシート８の端部のうち長手方向一端部１５以外の端部が、通液シート７および後身頃３に縫着して固定されることによって、通液シート７と外カバーシート８とによって袋状の収容部が形成され、通液シート７と外カバーシート８との間に吸液パッド３０を収容可能となる。
【００３０】
通液シート７と外カバーシート８とによって袋状の収容部が形成され、通液シート７と外カバーシート８との間に吸液パッド３０を収容した状態での失禁用パンツ１の装着時において、身体と接触する側である内側に通液シート７が配置され、身体と接触しない外側に外カバーシート８が配置されるので、装着者が失禁行為を行った場合には、排尿は通液シート７を透過して吸液パッド３０に吸収される。また、後述する本実施形態における吸液パッド３０の外カバーシート８側に配置される裏面シートが、非通液性および撥水性を有するので、吸収された排尿が失禁用パンツ１の上に着用されている衣服などに染み出すことを防止することができる。
【００３１】
吸液パッド３０としては、公知のあらゆる吸液パッドを使用することができるが、本実施形態では矩形状部分の両側に半円状部分が一体に連なる略長円状であって、長手方向の寸法が１５．８ｃｍであり、幅方向の寸法が７．０ｃｍであり、厚み方向の寸法が０．１ｃｍである。また、本実施形態では、通気性および通液性を有するメッシュ生地からなる表面シートと、当該表面シートの周縁部に接合される非通液性および撥水性を有する裏面シートと、当該表面シートと裏面シートとの間に介在される吸収層とからなる吸液パッドを用いている。本実施形態における吸液パッド３０は、表面シートが通液シート７側に、裏面シートが外カバーシート８側になるように配置して用いられる。
【００３２】
このような吸液パッド３０を用いることによって、後述する外カバーシート８が、不透水性や撥水性を有する必要がなくなるので、外カバーシート８に用いることのできる編地などの選択肢を多くすることができ、失禁用パンツ１の意匠的な美観や履き心地を向上させることが可能となる。
【００３３】
外カバーシート８は、伸縮性を有していればよく、たとえばポリエステル繊維などの合成繊維や綿などの天然繊維から形成される。本実施形態では、前身頃２および後身頃３と同種の生地から形成される。但し、外カバーシート８の材質は、前身頃２および後身頃３と同種の生地や前記繊維に限らず、たとえば不透水性、撥水性および伸縮性を有する、ポリエステルの合成繊維で編成した編生地にポリウレタン系の熱可塑性合成樹脂フィルムをラミネートしたラミネート生地や綿などの天然繊維とアクリルなどの合成繊維を混用して編成した編生地にポリウレタン系の熱可塑性合成樹脂フィルムをラミネートしたラミネート生地からなってもよい。
【００３４】
外カバーシート８が、不透水性、撥水性および伸縮性を有する生地からなる場合には、通気性および通液性を有し、周縁部で接合される２枚のシートと、両シート間に介在される吸収層とからなる吸液パッドを用いてもよい。このように非通液性および撥水性を有する裏面シートを含まない、吸液パッドを用いても、外カバーシート８が、不透水性および撥水性を有するので、本実施形態と同様に、吸収された排尿が失禁用パンツ１の上に着用されている衣服などに染み出すことを防止することができる。
【００３５】
外カバーシート８の伸縮性は、通液シート７の伸縮性と同程度でもかまわないが、通液シート７の伸縮性よりも低いほうが好ましい。このように外カバーシート８の伸縮性が通液シート７の伸縮性よりも低いことによって、失禁用パンツ１の装着時に、吸液パッド３０が伸縮性の低い外カバーシート８によって装着者の身体側へ吸液パッド３０が押圧される。したがって、装着時において、身体と通液シート７と吸液パッド３０とを身体の動きに追従させて、互いに密着させた状態に保つことができるので、身体の姿勢や動きに関わらず、排尿を通液シート７を介して吸液パッド３０に吸収させることができる。
【００３６】
外カバーシート８の長手方向一端部１５の端縁１７、より詳細には端縁１７の両端１８，１９を結んだ仮想一直線ｍ１は、幅方向一側部１３から幅方向他側部１４に向かって、外カバーシート８の幅方向に平行な基準一直線ｍ２に対して、予め定める範囲で傾斜して形成される。
【００３７】
外カバーシート８の長手方向一端部１５の端縁１７は、端縁１７の両端１８，１９を結んだ仮想一直線ｍ１が、幅方向一側部１３から幅方向他側部１４に向かって、股部４が延びる方向に垂直な基準一直線である、外カバーシート８の幅方向に平行な基準一直線ｍ２に対して、予め定める角度範囲で傾斜して形成されていればよく、その形状が略一直線であっても円弧を描いて形成されていてもよい。本実施形態では、外カバーシート８の長手方向一端部１５の端縁１７は、略直線状に形成される。他の実施形態では、端縁１７は、前身頃２側または後身頃３側に凸に湾曲した略円弧状に形成されてもよい。
【００３８】
本実施形態において、基準一直線ｍ２は、通液シート７の前身頃２に縫着して固定される長手方向一端部９の端縁２０の両端２１，２２を結んだ直線である。外カバーシート８の長手方向一端部１５の端縁１７の両端１８，１９を結んだ仮想一直線ｍ１は、幅方向一側部１３から幅方向他側部１４に向かって、後身頃３と縫着される外カバーシート８の長手方向他端部１６に近接する方向に、通液シート７の前身頃２に縫着して固定される長手方向一端部９の端縁２０の両端２１，２２を結んだ前述の基準一直線ｍ２に対して、角度θ１だけ傾斜して形成される。傾斜角度θ１は、４０°〜５０°の範囲内であればよく、本実施形態では４０°傾斜して形成される。
【００３９】
前述のように、角度θ１は、基準一直線ｍ２に対して仮想一直線ｍ１が傾斜する角度であり、後述する角度θ２は、失禁用パンツ１の装着者が、股部４に収容された吸液パッド３０を交換する場合において、正中矢状面に対して前腕が傾斜する角度である。また、角度θ１は、角度θ２が決定されることによって、導き出すことのできる角度である。
【００４０】
次に、傾斜角度θ１の算出方法についての説明を行う。図５は、身体Ｍを模式的に示した図であり、図６は、失禁用パンツ１の装着者が、股部４に収容された吸液パッド３０を出し入れする場合の腕の配置を説明するための図である。
【００４１】
図中、Ｌ１は、身体Ｍの頸側から肩峰までの水平方向における距離を示し、Ｌ２は、肩峰から肘頭までの距離を示し、Ｌ３は、前腕の距離を示し、Ｌ４は、正中矢状面上における肩峰から股下までの距離を示す。また図中Ａ〜Ｄは、図５と図６における身体の各部分の対応関係の理解を容易にするために付した符号であり、同一部分には同一の符号を付している。
【００４２】
失禁用パンツ１の装着者が、股部４に収容された吸液パッド３０を交換する場合には、起立した状態で交換するので、顎側と肩峰とを水平方向に結ぶ直線と正中矢状面とが垂直に交差した状態で、肩峰を支点として上腕および前腕を上方に持ち上げ、その状態から肘頭を支点として前腕を股下に近接する方向に折り曲げることになる。
【００４３】
したがって、失禁用パンツ１の装着者が、股部４に収容された吸液パッド３０を交換する場合の腕の配置は図６に示すようになり、正中矢状面に対する前腕の傾斜角度θ２は、距離Ｌ１〜Ｌ４が決定されることによって、一意的に決定される。表１は日本人の成人女性における距離Ｌ１〜Ｌ４と、傾斜角度θ２との関係を示す表である。なお、表１における距離Ｌ１〜Ｌ４は、社団法人人間生活工学研究センター「日本人の人体寸法データブック２００４−２００６、p.103,151,173,175,187」に記載の２０歳〜７９歳までの各年代の平均値、最小値、最大値を算術平均して求めた値である。
【００４４】
【表１】
2012090902.tif 000003
【００４５】
表１に示すように、傾斜角度θ２は、４０°〜５０°の角度範囲内であることがわかる。ここで、吸液パッド３０の出し入れを行いやすくするためには、この傾斜角度θ２内における手の挿入線に対して直交するように吸液パッド３０の収容部が開口、すなわち吸液パッド３０の上面側に配置される外カバーシート８の長手方向一端部１５の端縁１７が傾斜するように形成されていることが必要である。
【００４６】
ここで、通液シート７の長手方向一端部９の端縁２０の両端２１，２２を結んだ基準一直線ｍ２と平行な直線Ｌ５は、正中矢状面に対して略垂直に形成される。したがって、傾斜角度θ１は傾斜角度θ２と等しい角度、すなわち４０°〜５０°となる。
【００４７】
このことから、仮想一直線ｍ１が、幅方向一側部１３から幅方向他側部１４に向かって、外カバーシート８の長手方向他端部１６に近接する方向に、基準一直線ｍ２に対して、角度θ１傾斜して形成されている場合には、外カバーシート８の端縁１７が吸液パッド３０を出し入れする際の挿入方向に対して、直交し易い角度となっているので、その他の角度に設けられている場合よりも、吸液パッド３０の出し入れを容易に行うことができる。
【００４８】
このように外カバーシート８が角度θ１傾斜して形成されているので、吸液パッド３０を通液シート７と外カバーシート８との間に出し入れする場合に、無理のない自然な腕の動きによって手を失禁用パンツ１と着衣との間に挿入して、外カバーシート８の長手方向一端部１５の端縁１７付近に配置される吸液パッド３０の一部を把持して容易に取り出すことができる。
【００４９】
また、外カバーシート８の長手方向一端部１５の端縁１７が予め定める角度範囲θ１傾斜して形成されるので、新たな吸液パッド３０を通液シート７と外カバーシート８との間に挿入するに際して、外カバーシート８の長手方向一端部１５の端縁１７を手指で把持し、その背後の通液シート７から離反する方向に引っ張ることによって、広い開口で開口させることができ、容易かつ円滑に吸液パッド３０を通液シート７および外カバーシート８間に挿入して装着することができる。また、外カバーシート８の長手方向一端部１５の端縁１７が予め定める角度範囲θ１で傾斜して形成されるので、目視で確認することなく、手指の感覚のみで吸液パッド３０を出し入れするべき開口を認識することができ、たとえば目の不自由な人や視力が弱くなっている高齢者などの非健常者であっても、容易に吸液パッド３０の装着および交換を行うことができる。
【００５０】
収容部６は、芳香剤や消臭剤などが収容可能であればよく、形状や大きさは特に限定されない。また、予め収容部６に芳香剤が収容されていてもよく、後から芳香剤を収容するようにしてもよい。このように芳香剤や消臭剤を収容することのできる収容部６が設けられているので、芳香剤から放散される芳香や消臭剤の消臭効果によって、排尿にともなう悪臭を緩和し、または消臭して自己および周囲の人へ不快感を与えることを防止することができる。また、装着者の嗜好の芳香を放散させることによって、装着者の失禁用パンツ１の装着による不快感およびストレスを緩和させることができる。
【００５１】
図７は、人間が着座した状態を示す図である。図８は、失禁用パンツ１の着圧を説明するための図である。図７および図８に示す長さＨは、座位における大腿部の下面から上面までの大腿高さを示す。
【００５２】
表２に示すように、日本人の成人女性の場合、長さＨの最大値は１３３．５ｍｍ、最小値は９５．２ｍｍであって、平均値は１１０．９ｍｍである。なお、表２における長さＨは、社団法人人間生活工学研究センター「日本人の人体寸法データブック２００４−２００６、p.405,411」に記載の２０歳〜７９歳までの各年代の平均値、最小値、最大値を算術平均して求めた値である。
【００５３】
【表２】
2012090902.tif 000004
【００５４】
収容部６に収容される芳香剤や消臭剤が、厚みのほとんどない、たとえばシート体などに含浸されている場合には、身体の動きに沿って当該シート体も変形するので、収容部６がいずれの箇所に設けられていても問題はないが、芳香剤や消臭剤が固形で、適度の平均粒径、たとえば０．１ｍｍ〜３ｍｍφの粒状物として形成され、当該粒状物が収容部６に収容される場合には、身体の動きに沿って粒状物が変形せず、装着者の身体を押圧して痛みを伴ったり、不所望に粒状物が粉砕してしまうなどの問題が生じる。
【００５５】
このことから、収容部６は、失禁用パンツ１において、座位であっても大きく変形を生じない位置に設けられることが好ましい。この点、前記高さＨよりも上方に設けられていれば、座位において大きな変形を生じることはない。したがって、収容部６は、座位において大腿部の下面から上面に向かう方向に、下面から１１１ｍｍ以上離間した領域Ｅに設けられることが好ましい。
【００５６】
また、失禁用パンツ１において、座位における大腿部の下面から座位大腿高さＨよりも上方に位置する領域（図８に示す領域Ｅ）であって、正中矢状面から右半身における着圧をＰ，Ｑ，Ｒの範囲それぞれについて計測したところ、下記の表３に示すように、範囲Ｐでは平均０．６１ｋＰａ、範囲Ｑでは平均０．３２ｋＰａ、範囲Ｒでは平均１．１１ｋＰａであった。
【００５７】
前記各範囲Ｐ，Ｑ，Ｒにおける着圧は、日本人の成人女性の標準的な身体を模した人形（マネキン）に失禁用パンツ１を装着し、失禁用パンツ１と人形（マネキン）の外表面との間に圧迫圧測定器（ザルツマン社製、商品名：ＭＳＴ−ＭＫ−ＩＶ）のプローブを各範囲Ｐ，Ｑ，Ｒに取り付け、プローブに失禁用パンツ１からの接触圧力が作用するようにして測定した。
【００５８】
なお、範囲Ｐ，Ｑ，Ｒは、正中矢状面から前額面までの右半身（または左半身）を３等分した各範囲であって、正中矢状面から離反する方向順に、範囲Ｒ、範囲Ｑ、範囲Ｐとする。また、正中矢状面から前額面までの左半身における着圧も右半身と同様の分布となった。
【００５９】
【表３】
2012090902.tif 000005
【００６０】
着圧が低い部分は、着圧が高い部分と比較して、身体に密着していないということなので、範囲Ｑは範囲ＰおよびＲよりも身体に密着していないことがわかる。ここで、失禁用パンツ１の装着時における履き心地を考えると、各範囲における着圧の差が小さく、均等な着圧が身体に対して付与されているほうが履き心地は向上する。
【００６１】
そこで、範囲Ｐ，Ｑ，Ｒのうち、最も着圧の低い範囲Ｑに収容部６を設けたところ、収容部６を設けた場合のほうが範囲Ｑにおける着圧が高くなることがわかった。また、収容部６を形成しない場合の範囲Ｐ，Ｑ，Ｒの着圧をｐ，ｑ，ｒとし、範囲Ｑに収容部６を形成した場合の着圧をｑ（ｋ）とすると、以下の式（１）および式（２）が成り立つ。なお、式におけるｋは、収容部６に収容される収容物の形状に関するパラメータである。
｜ｐ−ｑ｜＞｜ｐ−ｑ（ｋ）｜                                    …（１）
｜ｒ−ｑ｜＞｜ｒ−ｑ（ｋ）｜                                    …（２）
【００６２】
上記式（１）および式（２）から、範囲Ｑに収容部６を設けた場合には、範囲Ｐ，Ｑ，Ｒの着圧差が小さくなることがわかる。したがって、範囲Ｑに収容部６を設けることによって、隣接する範囲における着圧の差を小さくし、履き心地を向上させることができるので、収容部６は範囲Ｑに設けることが好ましい。
【００６３】
また、収容部６は、失禁用パンツ１の内側および外側のどちらに設けられてもよいが、収容部６に収容される芳香剤や消臭剤の放散効率を考えると、装着者の体温が伝達されやすい、失禁用パンツ１の内側に設けられることが好ましい。しかしながら、収容部６の芳香剤などを出し入れする開口部が内側に形成されると、収容部６への芳香剤や消臭剤の出し入れが困難となるので、開口部は外側に形成されることが好ましい。
【００６４】
したがって、丸編みによって、収容部６の収容物を収容する収容領域は、失禁用パンツ１の内側に配置され、収容部６の開口部は、外側に配置されるように形成されることが好ましい。このように収容部６を形成することによって、効率のよい放散性と、芳香剤や消臭剤などの収容物の出し入れの容易性とを両立することができる。
【００６５】
本実施形態では、収容部６は、座位において大腿部の下面から上面に向かう方向に、下面から１１１ｍｍ以上離間した領域Ｅ内であって、前身頃２において正中矢状面から前額面までの右半身を３等分した範囲の中央の範囲Ｑに設けられる。また、本実施形態において収容部６の設けられる位置は、前記吸液パッド３０を出し入れする際の挿入線上である傾斜角度θ２の範囲内に設けられる。
【００６６】
このように、吸液パッド３０を出し入れする際の挿入線上である傾斜角度θ２の範囲内に設けられることによって、衣服と失禁用パンツ１との間の手を挿入するための開口から漏れ出す悪臭を効率よく、緩和または消臭することができ、装着者である自己および周囲の人へ不快感を与えることを防止することができる。また、収容部６は、無理のない自然な腕の動きによって、吸液パッド３０を出し入れする際の挿入線上に設けられているので、当該収容部６が挿入線上以外の範囲に設けられている場合に比べて、芳香剤などを出し入れする際の腕に対する負担が少なく、特に腕を自由に動かすことが困難な利用者であっても、芳香剤などの出し入れを容易に行うことができる。
【００６７】
また本実施形態において、収容部６は矩形状部分の片側に半円状部分が一体に連なる略Ｕ字状に形成され、その大きさは、長手方向の寸法が４．０ｃｍ、短辺方向の寸法が３．０ｃｍに形成される。また、本実施形態では、収容部６は、丸編で編成され、前身頃２および後身頃３と一体に形成される。
【００６８】
このように丸編では、まず筒状編地が編成され、必要に応じて一部を切断および縫製加工することによって、周方向に切れ目がなく伸縮性を有することができるので、装着者の身体に沿って装着可能な失禁用パンツ１を製造することが可能であり、装着者の身体と失禁用パンツ１との間に空間が生じることによって、排尿が失禁用パンツ１外に漏れ出すことを防止することができる。
【００６９】
収容部６には、公知のあらゆる芳香剤や消臭剤を収容することができ、芳香剤や消臭剤を固形の粒状物としたものや、シート体に含浸させたものなどを収容することもできる。芳香剤としては、リモネンなどのモノテルペン系炭化水素、アビエチンなどのジテルペン炭化水素、パラサイメンなどの芳香族炭化水素、リナロールなどのテルペン系アルコール、ベンジルアルコールなどの芳香族アルコール、シトラールなどのテルペン系アルデヒド、メントンなどのテルペン系ケトン、ｐ−メチルアセトフェノンなどの芳香族ケトン、ジフェニルエーテルなどのフェノール誘導体、デカナールなどの脂肪族アルデヒド、ベンズアルデヒドなどの芳香族アルデヒド、シトラールジメチルアセタールなどのアセタール類、イソアミルアセテート、ギ酸ゲラニル、安息香酸メチルなどの脂肪族、芳香族酸カルボン酸エステル、ムスコンなどの大環状ケトン、ローズオキサイドなどの環状エーテル、インドールなどの複素環式化合物、γ−へプチルブチロラクトンなどのラクトン類、レモン油、オレンジ油、ライム油、ユーカリ油、ヒノキ油、ヒバ油、パイン油、ベルガモット油、ペパーミント油、テレピン油、ホー油、ラベンダ油、ジャスミン油、ローズ油、バニラなどの精油、みどりの香りとも呼ばれ、葉緑体膜を構成する脂質からα-リノレン酸やリノール酸がリポキシゲナーゼによって分解されてできる炭素数が６つのアルコールおよびアルデヒドの異性体各４種の総称である樹木系香り成分などを用いることができる。これらの芳香剤は、一種のみを用いてもよく、また、複数種を適宜組合せて用いてもよい。
【００７０】
これらの中でも多くの人に対して、能動的な正の感情であるリフレッシュ感と受動的な正の感情であるリラックス感を与えることができ、リラクゼ−ション効果を有し、装着者の装着時におけるストレスを緩和することのできる芳香を備える植物形香料を主成分とするラベンダ、ロ−ズ、ハ−ブ、オレンジ、レモン、シナモン、ユ−カリなどから採取して精製した精油等の液体が好ましい。また、装着者の嗜好の芳香が放散されていれば、少なくとも装着者に対して、能動的な正の感情であるリフレッシュ感と受動的な正の感情であるリラックス感を与え、リラクゼ−ション効果を生じさせ、装着時におけるストレスを緩和することのできるので、たとえば装着者が嗜好する芳香の香水なども好ましく用いることができる。
【００７１】
また、芳香剤に公知のあらゆる香料を付加して使用することもでき、たとえば、ペパーミント、プチグレイン、シトロネラ、スペアミント、ライム、マンダリンなどの気分をリフレッシュさせる香料、安息香、ゼラニウム、乳香、白檀 、マジョラム、ラベンダ、ラバンディンなどのリラックス感を与える香料や、サイプレス、カンファ、ベルガモット、ユーカリ、ローズウッド、ニアウリ、シダーリーフ、シナモンリーフなどのエアーフレッシュ効果を有する香料、カラマスルート、オリスルート、グリーンハーブ、フローラルなどの香料、ヒノキチオール、ヒバオイル、月桃オイル、ペニーローヤル、レモングラス、レモン、スパイクラベンダ、ナツメグ、オレガノ、セージ、ジンジャ、セーボリ、タイム、オールスパイス、シダーウッド、シナモンバーク、クローブバッズ、カユブテ、パイン、ティートゥリなどの抗菌性を有する香料を用いることができる。
【００７２】
また消臭剤としては公知のあらゆる消臭剤を用いることができ、たとえば、悪臭成分に対するマスキング効果や、悪臭成分に化学的に作用することによる消臭効果が知られている月桂樹製油、セージ製油、タイム製油、しょうが製油、ペパーミント製油、ゼラニウム製油、ナツメグ製油等の植物製油、あるいは、クロロフィルａ、クロロフィルｂ、フィトールなどのクロロフィル及びその誘導体を使用することができる。これらの消臭剤は、一種のみを用いてもよく、また、複数種を適宜組合せて用いてもよい。
【００７３】
また失禁用パンツ１の形状は、本実施形態で示した形状に限らず、たとえばボクサーパンツ型であってもよい。このような形状のパンツであっても、本実施形態における失禁用パンツ１と同様の効果を奏することができる。
【００７４】
また本実施形態では、丸編によって、失禁用パンツ１は編成されているが、他の編み方で編成してもよく、たとえば前身頃２、後身頃３および股部４を縫着したあとで、袋状部材を、前身頃２および後身頃３の内側または外側に縫着することによって収容部６を形成してもよい。このように収容部６を形成することによって、収容部６の形状や、色彩、柄などを前身頃２や後身頃３の色彩や柄などとは全く異なるものとすることができるので、失禁用パンツ１の美観を向上させることができる。
【００７５】
また、前身頃２および後身頃３に用いる繊維としては、消臭繊維を用いてもよい。消臭繊維を用いることによって、排尿中に含まれるアンモニアによる悪臭を消臭することができるので、芳香剤の香りをより効率よく装着者である自己やその周囲の人に伝達することができ、自己および周囲の人へ不快感を与えることを防止することができる。また、失禁したことを臭いによって周囲の人に認識されにくくすることができるので、装着者の装着による精神的ストレスをより緩和することができる。
【００７６】
前記消臭繊維としては、活性炭を混入、または亜鉛イオンや銅イオン、銀イオンなどを含む亜鉛混合物や銅化合物、銀化合物などで処理を施した合成繊維や綿などの天然繊維、レーヨンなどの短繊維などを用いることができる。
【００７７】
また本実施形態の失禁用パンツ１は、女性の生理における生理用パンツとして用いることが可能である。このような用途で用いる場合には、吸液する対象が排尿だけではなく、血液などの体液となることから吸液パッド３０を粘性の高い液体を吸収可能なものとすることが好ましい。
【００７８】
また他の実施形態として、外カバーシート８の一端部１５や、一端部１５の端縁１７に質感が異なる素材、たとえばレース生地やゴム素材、スパンコールやビーズなどの装飾部材を取り付けてもよい。このように質感が異なる素材を取り付けることによって、目視で確認することなく、手指の感覚のみで吸液パッド３０を出し入れするべき開口を認識することができるので、たとえば目の不自由な人や視力が弱くなっている高齢者などの非健常者であっても、より容易に吸液パッド３０の装着および交換を行うことができる。
【符号の説明】
【００７９】
１  失禁用パンツ
２  前身頃
３  後身頃
４  股部
５  脚穴部
６  収容部
７  通液シート
８  外カバーシート
３０  吸液パッド
【図１】
2012090902.tif 000006
【図２】
2012090902.tif 000007
【図３】
2012090902.tif 000008
【図４】
2012090902.tif 000009
【図５】
2012090902.tif 000010
【図６】
2012090902.tif 000011
【図７】
2012090902.tif 000012
【図８】
2012090902.tif 000013